【手続補正書】
【提出日】令和2年2月3日(2020.2.3)
【手続補正１】
【補正対象書類名】特許請求の範囲
【補正対象項目名】全文
【補正方法】変更
【補正の内容】
【特許請求の範囲】
【請求項１】
メトロロジデータを収集するためのコンピューティングデバイスであって、
ハウジングと、
アンテナと、
前記１つまたは複数の水センサから前記メトロロジデータを受け取るための１つまたは複数の入力ポートと、
１つ又は複数のスーパーコンデンサに結合された１つまたは複数のバッテリを含む電源モジュールと、
当該コンピューティングデバイスの動作を制御するための１つまたは複数のプロセッサを含むマイクロコントローラと、
小電力広域ネットワーク（ＬＰＷＡＮ）規格を使用して信号を通信するように前記アンテナに結合されたトランシーバと、
コンピュータ実行可能命令を記憶するコンピュータ可読媒体であって、前記コンピュータ実行可能命令は、前記１つまたは複数のプロセッサによって実行されるとき、当該コンピューティングデバイスに、
第１の事前定義された時間期間について、小電力モードを入れることと、
前記第１の事前定義された時間期間の終わりの検出の少なくとも一部に基づいて、第２の事前定義された時間期間について、前記小電力モードから通信モードに切り換えることと、
前記通信モードにある間、前記トランシーバを介して、前記メトロロジデータの一部を表す信号を送信することと、
前記信号を送信することに応答して、前記第１の事前定義された時間期間について、前記コンピューティングデバイスを前記小電力モードに入れることと、
を含む動作を実行させる、該コンピュータ可読媒体と
を備えたことを特徴とするコンピューティングデバイス。
【請求項２】
前記１つまたは複数のバッテリは、前記小電力モードの間じゅう、前記１つ又は複数のスーパーコンデンサを少なくとも部分的に充電することを特徴とする請求項１に記載のコンピューティングデバイス。
【請求項３】
前記小電力モードの前記第１の事前定義された時間期間は、前記通信モードの前記第２の時間期間より少なくとも１００倍長いことを特徴とする請求項１に記載のコンピューティングデバイス。
【請求項４】
前記電源モジュールは、前記１つまたは複数のバッテリと前記１つ又は複数のスーパーコンデンサとの間に配置された、クーロンカウンタおよび統合された降圧−昇圧コンバータを含むガスゲージをさらに備え、前記ガスゲージは、
前記１つまたは複数のバッテリから少なくとも前記１つ又は複数のスーパーコンデンサに提供される電荷のクーロン量を監視し、および電荷のクーロン量のデータを、前記通信モードの間じゅう、送信のためにメモリに記憶し、又は、
前記１つまたは複数のバッテリから前記少なくとも前記１つまたは複数のスーパーコンデンサに提供される前記電荷の前記クーロン量を制限する、
ように構成されたことを特徴とする請求項１に記載のコンピューティングデバイス。
【請求項５】
前記１つまたは複数のスーパーコンデンサは、
前記１つまたは複数のバッテリから受け取られる電流から充電される第１のコンデンサと、
前記１つまたは複数のバッテリから受け取られる前記電流から充電される前記第１のコンデンサと並列の第２のコンデンサと、
を備えたことを特徴とする請求項１に記載のコンピューティングデバイス。
【請求項６】
前記１つまたは複数のバッテリは、前記コンピューティングデバイスの外部配管に熱的に結合されるように構成されたコネクタに熱的に結合された請求項１に記載のコンピューティングデバイス。
【請求項７】
前記動作は、
前記トランシーバを介して、情報を含む信号を受信することと、および
前記情報の少なくとも一部に基づいて、前記第１の事前定義された時間期間または前記第２の時間期間のうちの少なくとも１つを決定することと
をさらに含むことを特徴とする請求項１に記載のコンピューティングデバイス。
【請求項８】
前記信号を通信するように構成された前記トランシーバについての前記ＬＰＷＡＮ規格は、
ＳＥＭＴＥＣＨトランシーバに準拠する規格
ＬｏＲａＷＡＮ（登録商標）規格
ＺｉｇＢｅｅ規格
ヘイスタック規格
機械タイプ通信のためのＬＴＥ  Ａｄｖａｎｃｅｄ規格
ＭｙＳｅｎｓｏｒｓ規格
ＮａｒｒｏｗＢａｎｄモノのインターネット（ＩｏＴ）規格
ＮＢ−Ｆｉ規格
ＮＷａｖｅ規格
無作為位相多重アクセス（ＲＰＭＡ）規格
Ｓｅｎｅｔ規格
Ｓｉｇｆｏｘ規格
シンフォニリンク規格
ＴｈｉｎｇＰａｒｋ無線規格
超狭帯域（ＵＮＢ）規格、または
ウェイトレス規格
のうちの少なくとも１つを備えたことを特徴とする請求項１に記載のコンピューティングデバイス。
【請求項９】
１つまたは複数のセンサによって収集された資源消費データを第２のコンピューティングデバイスへ通信するための第１のコンピューティングデバイスであって、
ハウジングと、
１つまたは複数のアンテナと、
前記第１のコンピューティングデバイスの動作を制御する１つまたは複数のプロセッサを含むマイクロコントローラと、
外部電源または内部電源のうちの少なくとも１つを使用して、前記第１のコンピューティングデバイスに電力を供給するように構成された電源モジュールと、
前記１つまたは複数のアンテナに結合され、小電力広域ネットワーク（ＬＰＷＡＮ）規格を使用して信号を通信するように構成された無線周波数（ＲＦ）トランシーバと、
コンピュータ実行可能命令を記憶するコンピュータ可読媒体であって、前記コンピュータ実行可能命令は、前記１つまたは複数のプロセッサによって実行されるとき、当該第１のコンピューティングデバイスに、
前記１つまたは複数のセンサのセンサタイプを決定することと、
前記センサタイプの決定の少なくとも一部に基づいて、第１の電圧をセンサ入力ポートに、または第２の電圧を、電力若しくはクロック信号の少なくとも１つを前記１つまたは複数のセンサに提供する出力ポートに、選択的に提供することと、
前記センサからメトロロジデータを受け取ることと、
前記メモリに前記メトロロジデータを記憶することと、
を含む動作を実行させる、該コンピュータ可読媒体と
を備えたことを特徴とする第１のコンピューティングデバイス。
【請求項１０】
前記センサタイプは第１のセンサタイプであり、前記センサは、リードスイッチセンサ、ホール効果センサ、または磁気抵抗センサのうちの少なくとも１つを備え、前記第１の電圧が印加され、または
前記センサタイプは第２のセンサタイプであり、前記センサは、パルスセンサまたはＡＭＲセンサのうちの少なくとも１つを備え、前記第２の電圧が印加されることを特徴とする請求項９に記載の第１のコンピューティングデバイス。
【請求項１１】
当該第１のコンピューティングデバイスは、前記センサ入力ポートを介して前記複数のタイプのセンサからデータを受け取り、前記データを記憶するように構成され、前記複数のタイプのセンサは、ホール効果センサまたは磁気抵抗センサ、パルスセンサ、およびＡＭＲセンサを含むことを特徴とする請求項９に記載の第１のコンピューティングデバイス。
【請求項１２】
前記第１のコンピューティングデバイスはユニバーサルシリアルバス（ＵＳＢ）ポートをさらに含み、前記動作は、
前記センサ入力ポートに結合された入力ケーブルと関連付けられた前記センサの前記センサタイプの決定することをさらに含み、該決定することは、
前記ＵＳＢポートに差し込まれたＵＳＢケーブルを介して、前記センサタイプのインジケーションを受け取ること、または
前記ＲＦトランシーバを介して、１つまたは複数のサーバコンピューティングデバイスから、前記センサタイプの前記インジケーションを含む信号を受け取ること
のうちの少なくとも１つを含むことを特徴とする請求項９に記載の第１のコンピューティングデバイス。
【請求項１３】
１つまたは複数の水センサによって収集されたメトロロジデータをコンピューティングデバイスへ通信するためのエンドポイントコンピューティングデバイスであって、
ハウジングと、
１つまたは複数のアンテナと、
当該エンドポイントコンピューティングデバイスの動作を制御する１つまたは複数のプロセッサを含むマイクロコントローラと、
当該エンドポイントコンピューティングデバイスに電力を供給するように構成された電源モジュールと、
前記１つまたは複数のアンテナに結合され、小電力広域ネットワーク（ＬＰＷＡＮ）規格を使用して信号を通信するように構成された無線周波数（ＲＦ）トランシーバと、
コンピュータ実行可能命令を記憶するコンピュータ可読媒体であって、前記コンピュータ実行可能命令は、前記１つまたは複数のプロセッサによって実行されるとき、当該エンドポイントコンピューティングデバイスに、
第１の時間期間について、電力休止モードを入れることと、
第２の時間期間について、前記電力休止モードから小電力モードに切り換えることと、
第２の時間期間の間じゅう、水センサからパルスを受け取らせ、および記憶させることであって、前記第２の時間期間は前記第１の時間期間より短い、ことと、
前記第２の時間期間の終わりを検出したことに応答して、前記小電力モードから前記電力休止モードに切り換えることと、
を含む動作を実行させる、該コンピュータ可読媒体と
を備えたことを特徴とするエンドポイントコンピューティングデバイス。
【請求項１４】
前記水センサは前記第１のタイプのセンサを備え、前記第１のタイプのセンサは、リードスイッチセンサ、ホール効果センサ、または磁気抵抗センサのうちの少なくとも１つを備え、または
前記水センサは前記第２のタイプのセンサを備え、前記第２のタイプのセンサは、パルスセンサまたはＡＭＲセンサのうちの少なくとも１つを備えたことを特徴とする請求項１３に記載のエンドポイントコンピューティングデバイス。
【請求項１５】
前記動作は、
前記１つまたは複数の水センサの１つまたは複数の入力ケーブルを受ける前記１つまたは複数の入力ポートを介して、前記水センサの回転速度を決定することと、
前記回転速度の少なくとも一部に基づいて前記第１の時間期間を計算することと、および
前記水センサがパルスを出力する速度の少なくとも一部に基づいて前記第２の時間期間を計算することと
をさらに含むことを特徴とする請求項１４に記載のエンドポイントコンピューティングデバイス。
【請求項１６】
前記動作は、
前記水センサと関連付けられた履歴回転速度データを解析することと、
前記水センサの調整回転速度を決定することと、および
前記調整回転速度に少なくとも部分的に基づいて前記第１の時間期間を調整することと
をさらに含むことを特徴とする請求項１５に記載のエンドポイントコンピューティングデバイス。
【請求項１７】
前記動作は、
前記水センサと関連付けられた履歴回転速度データを、１つまたは複数のサーバコンピューティングデバイスへ送ることと、
前記１つまたは複数のサーバコンピューティングデバイスから、第３の時間期間のインジケーションを受け取ることと、および
前記第３の時間期間の少なくとも一部に基づいて前記第１の時間期間を調整することと
をさらに含むことを特徴とする請求項１６に記載のエンドポイントコンピューティングデバイス。
【請求項１８】
前記ハウジングの外部を形成する水密シールと、
前記ハウジングの内側に配置されたアンテナコネクタであって、前記アンテナは、前記前記ハウジングの内側の前記アンテナコネクタに結合されおよび前記ハウジングの外部を通して延びている、該アンテナコネクタと、
をさらに備えたことを特徴とする請求項１に記載のコンピューティングデバイス。
【請求項１９】
当該第１のコンピューティングデバイスの輸送中、当該第１のコンピューティングデバイスの１つまたは複数のコンポーネントから前記電源モジュールを隔離するためのトグルスイッチをさらに備えたことを特徴とする請求項９に記載の第１のコンピューティングデバイス。
【請求項２０】
前記コンピュータ実行可能命令は、実行されるとき、当該第１のコンピューティングデバイスに、さらに、
前記センサまたは前記第１のコンピューティングデバイスに関連した状態変化を検出させ、
前記状態変化の検出の少なくとも一部に基づいて、前記トランシーバに電力を供給させることを特徴とする請求項９に記載の第１のコンピューティングデバイス。
【請求項２１】
前記１つまたは複数のスーパーコンデンサは、前記通信モードの間じゅう、部分的に放電されることを特徴とする請求項１に記載のコンピューティングデバイス。